(57)【要約】【課題】  様々な人の頭部の形状にフィットし、また頭部の特定の部位に強い圧力がかからない脳波計測用ヘッドギアを提供する。【解決手段】  略半円状の外殻４と、電極３を備える帯状体２と、複数の第一の弾性体７ａを有し、当該複数の第一の弾性体７ａのうちの各一端を当該外殻４の両端にそれぞれ接続したヘッドギア外殻部１０が存在し、当該帯状体２の両端及び／又は当該帯状体２の両端にそれぞれ各一端を接続した複数の第二弾性体７ｂの各他端をさらに当該ヘッドギア外殻部１０に接続する脳波計測用ヘッドギア１により、様々な人の頭部の形状に対し、脳波を所望の位置で痛み無く計測することができる。【選択図】  図１
2015221144.tif 000002
【特許請求の範囲】
【請求項１】
略半円状の外殻と、
電極を備える帯状体と、
複数の第一の弾性体を有し、
当該複数の第一の弾性体のうちの各一端を当該外殻の両端にそれぞれ接続したヘッドギア外殻部が存在し、
当該帯状体の両端及び／又は当該帯状体の両端にそれぞれ各一端を接続した複数の第二弾性体の各他端をさらに当該ヘッドギア外殻部に接続することを特徴とする脳波計測用ヘッドギア。
【請求項２】
前記帯状体は前記略半円状の外殻の内側に位置することを特徴とする請求項１に記載の脳波計測用ヘッドギア。
【請求項３】
略半円状の外殻と、
複数の第三の弾性体を有し、
当該複数の第三の弾性体のうちの各一端を当該外殻の両端にそれぞれ接続し、
当該複数の第三の弾性体は電極を備えることを特徴とする脳波計測用ヘッドギア。
【請求項４】
前記略半円状の外殻は弾性部材から成り、使用者の頭部よりも大径であり、前記略半円状の外殻の側面には穴部が形成されていることを特徴とする請求項１から請求項３の何れか１項に記載の脳波計測用ヘッドギア。
【請求項５】
前記略半円状の外殻の前記穴部は、大きさを調節できることを特徴とする請求項１から請求項４の何れか１項に記載の脳波計測用ヘッドギア。
【請求項６】
前記複数の第一の弾性体、前記複数の第二の弾性体、前記複数の第三の弾性体のいずれもが調整手段を有し、当該調整手段により前記複数の第一の弾性体、前記複数の第二の弾性体、前記複数の第三の弾性体のいずれの長さも調節可能であることを特徴とする請求項１から請求項５の何れか１項に記載の脳波計測用ヘッドギア。
【発明の詳細な説明】
【技術分野】
【０００１】
本発明は、脳波計測用ヘッドギアに関する。
【背景技術】
【０００２】
脳波を計測するためには、脳波計測用の電極が頭皮に接触する必要がある。現在、多チャンネル脳波計測法として一般的に利用されている形態は電極ヘッドギアに脳波計測用電極が多数具備されており、当該電極ヘッドギアを装着して計測するというものである。従来の脳波計測用ヘッドギアとしては、上記のように頭部全体を覆う電極ヘッドギアがまず挙げられる。この頭部全体を覆う電極ヘッドギアは、頭皮上の様々な場所から脳波の計測を可能とするため、水泳帽の内側に多くの電極がついているような形態が良く使用される（例えば特許文献１、非特許文献１）しかしこの頭部全体を覆う電極ヘッドギアは、頭の形は人それぞれで異なることから特に後頭部で頭部の形状にフィットせず、電極が浮いてしまう場合がある。
【０００３】
また従来の脳波計測用ヘッドギアの別の形態として、頭部の一部、特に額のみで計測を行うヘッドギアがある（例えば、特許文献２及び３）。医療・研究開発用途ではなく、簡易計測用用途の脳波計では額における脳波計測がなされる。この場合、１チャネルのみを額に接触させるもの、または複数チャネルを額に接触させるものが存在する。ただし、額での脳波計測においては顔が近いため、眼電、筋電等のノイズが混入しやすい。
【先行技術文献】
【特許文献】
【０００４】
【特許文献１】特開２００２-１７７２３１号公報
【特許文献２】特公昭６１-５５９７０号公報
【特許文献３】実開平６-７０７０４号公報
【非特許文献】
【０００５】
【非特許文献１】インターネットホームページ、ｇ.ｔｅｃ ｍｅｄｉｃａｌ ｅｎｇｉｎｅｅｒｉｎｇ社[平成２６年２月１７日検索]「ｇ．Ｎａｕｔｉｌｕｓ ｗiｔｈ ｇ．ＳＡＨＡＲＡ ａｃｔiｖe ｄｒｙ eｌeｃｔｒoｄeｓ」ｈｔｔｐ：//ｗｗｗ．ｇｔｅｃ．ａｔ/Ｐｒｏｄｕｃｔｓ/Ｈａｒｄｗａｒｅ−ａｎｄ−Ａｃｃｅｓｓｏｒｉｅｓ/ｇ．ＮＡＵＴＩＬＵＳ−Ｓｐｅｃｓ−Ｆｅａｔｕｒｅｓ
【発明の概要】
【発明が解決しようとする課題】
【０００６】
上記した従来の脳波計測用ヘッドギアにおいて、伝導性のジェルを利用する場合は、脳波計測用ヘッドギアが多少頭の形状にフィットしていなくても、ジェルを用いることで電極と頭皮との間を電気的に接触させることが可能となる。しかしＢＭＩ（Ｂｒａｉｎ-Ｍａｃｈｉｎｅ Ｉｎｔeｒｆａｃｅ）等での利用を想定し、洗髪の必要のないユーザビリティに優れた、ジェル不要なドライ電極を用いる場合は、よりヘッドギアを頭部にフィットさせる必要がある。またヘッドギアに取り付けた電極すべてを頭部にフィットさせるためにはヘッドギアを頭部に押さえつける必要があるが、電極ごとで圧力の分布が大きく異なる場合、圧力が高い部分においては電極が頭皮に押しつけられ痛みを感じてしまう。
【０００７】
とりわけ、上記した頭部の一部、特に額のみで計測を行うヘッドギアのタイプにおいては、側面に強い圧力がかかる。したがって側頭部に電極をつけた場合、使用者に痛みが生じてしまうため、側頭部の脳波計測が困難である。特許文献２の発明である生体電極保持装置のＵ字形バネ部分については、一般的なヘッドフォンと同様に頭の大きさよりも小さく形成している。したがって使用者が当該生体電極保持装置を装着した場合、当該Ｕ字形バネ部分の復元力により頭に固定することになる。この場合側頭部にかかる力が大きいため、当該側頭部に電極を装着した場合に使用者に痛みが生じる。特許文献３にかかわる考案も、脳波電極装着具のヘッドバンド部分から使用者の側頭部に加わる圧力が大きいため、特許文献１及び２に開示されている発明及び考案は額部分のみ電極を装着できるにすぎない。また、特許文献１乃至３及び非特許文献に開示されている発明、考案にはヘッドギアや生体電極保持装置及び脳波電極装着具の電極位置に対応する部分に穴を開けて、当該ヘッドギアや生体電極保持装置及び脳波電極装着具の復元力を調整する旨の記載はない。
【０００８】
本発明は上記の事情に鑑みてなされたものであり、様々な人の頭部の形状にフィットし、また頭部の内側方向にかかる力から外側方向にかかる力を減ずることにより、頭部の特定の部位に強い圧力がかからない脳波計測用ヘッドギアを提供することを目的とする。
【課題を解決するための手段】
【０００９】
上記課題を解決するため本発明の脳波計測用ヘッドギアは、略半円状の外殻と、電極を備える帯状体と、複数の第一の弾性体を有し、当該複数の第一の弾性体のうちの各一端を当該外殻の両端にそれぞれ接続したヘッドギア外殻部が存在し、
当該帯状体の両端及び／又は当該帯状体の両端にそれぞれ各一端を接続した複数の第二弾性体の各他端をさらに当該ヘッドギア外殻部に接続することを特徴とする。
【００１０】
また本発明は、前記帯状体は前記略半円状の外殻の内側に位置することを特徴とする。
【００１１】
また本発明の脳波計測用ヘッドギアは、略半円状の外殻と、複数の第三の弾性体を有し、当該複数の第三の弾性体のうちの各一端を当該外殻の両端にそれぞれ接続し、当該複数の第三の弾性体は電極を備えることを特徴とする。
【００１２】
また本発明は、前記略半円状の外殻は弾性部材から成り、使用者の頭部よりも大径であり、前記略半円状の外殻の側面には穴部が形成されていることを特徴とする。
【００１３】
また本発明は、前記略半円状の外殻の前記穴部は、大きさを調節できることを特徴とする。
【００１４】
また本発明は、前記複数の第一の弾性体、前記複数の第二の弾性体、前記複数の第三の弾性体のいずれもが調整手段を有し、当該調整手段により前記複数の第一の弾性体、前記複数の第二の弾性体、前記複数の第三の弾性体のいずれの長さも調節可能であることを特徴とする。
【発明の効果】
【００１５】
本発明の脳波計測用ヘッドギアは、略半円状の外殻と、電極を備える帯状体と、
複数の第一の弾性体を有し、当該複数の第一の弾性体のうちの各一端を当該外殻の両端にそれぞれ接続したヘッドギア外殻部が存在し、当該帯状体の両端及び／又は当該帯状体の両端にそれぞれ各一端を接続した複数の第二弾性体の各他端をさらに当該ヘッドギア外殻部に接続することを特徴とするため、頭部の特定の部位に強い圧力がかからない。
【００１６】
本発明において、前記帯状体は前記略半円状の外殻の内側に位置することを特徴とするため、様々な人の頭部の形状に電極がフィットする。
【００１７】
本発明の脳波計測用ヘッドギアは、略半円状の外殻と、複数の第三の弾性体を有し、当該複数の第三の弾性体のうちの各一端を当該外殻の両端にそれぞれ接続し、当該複数の第三の弾性体は電極を備えることを特徴とするため、前頭部でも脳波を計測することができる。
【００１８】
本発明において、前記略半円状の外殻は弾性部材から成り、使用者の頭部よりも大径であり、前記略半円状の外殻の側面には穴部が形成されていることを特徴とするため、外殻の外側への復元力を調整できる。
【００１９】
本発明において、前記略半円状の外殻の前記穴部は、大きさを調節できることを特徴とするため、使用者が装着しやすい脳波計測用ヘッドギアを提供することができる。
【００２０】
本発明において、前記複数の第一の弾性体、前記複数の第二の弾性体、前記複数の第三の弾性体のいずれもが調整手段を有し、当該調整手段により前記複数の第一の弾性体、前記複数の第二の弾性体、前記複数の第三の弾性体のいずれの長さも調節可能であることを特徴とするため、確実に帯状体に設置されている電極を頭皮に固定して脳波を計測することができる。
【図面の簡単な説明】
【００２１】
【図１】本発明の脳波計測用ヘッドギアを説明する図であり、（ａ）は本発明の脳波計測用ヘッドギアを上方から見た図である。（ｂ）は本発明の脳波計測用ヘッドギアを使用者が装着して後方から見た図である。
【図２】本発明の脳波計測用ヘッドギアを使用者が装着して前方から見た図であり、（ａ）は側頭部、後頭部及び頭頂部の脳波を計測する場合の図である。（ｂ）は前頭部の脳波を計測する場合の図である。
【図３】本発明の脳波計測用ヘッドギアにかかる力の大きさを示す説明図である。
【発明を実施するための形態】
【００２２】
以下、図面を参照して本発明の実施の例について説明する。
【００２３】
図１に基づいて、本発明に係る脳波計測用ヘッドギア１について説明する。
【００２４】
図１（ａ）は、本発明の脳波計測用ヘッドギア１を上方から見た図である。図１（ｂ）は、本発明の脳波計測用ヘッドギア１を使用者が装着して後方から見た図である。
【００２５】
図１（ａ）において、本発明の脳波計測用ヘッドギア１は、帯状体２と略半円状である外殻４を備える。当該帯状体２は、例えばプラスチックなど柔らかい素材から形成されている。この帯状体２に脳波計測用の電極３を、当該電極３の先端部分３ｂが脳波計測時に人の頭皮に接するように取り付ける。さらに、例えばゴムバンドなどの２つの第一の弾性体７ａの各一端を当該外殻４の両端に留め具６ａでそれぞれ接続したものがヘッドギア外殻部１０となる。
【００２６】
側頭部及び後頭部の脳波の計測に用いる帯状体２の両端部は留め具６ｃにより、ヘッドギア外殻部１０の外殻４の両端部とそれぞれ接続される。なお、図１（a）において下方が前方、すなわち顔の部分になる。一方頭頂部などの脳波を測定する場合は、２つの第二の弾性体７ｂの各一端を帯状体２の両端にそれぞれ留め具６ｂなどで接続し、さらに当該２つの弾性体７ｂの各他端について、ヘッドギア外殻部１０の外殻４の下部２カ所に留め具６ｃでそれぞれ接続する。
【００２７】
外殻４は例えばプラスチック等の弾性部材を用いて略半円状に形成する。なお使用者が脳波計測用ヘッドギア１を装着していないときにおいて、外殻４の両端部分の長さＬが使用者の頭部の幅より長くなるように作成する。
【００２８】
図１（ｂ）において、外殻４の側面には略四角形状の穴部５が複数設けられている。当該穴部５は、脳波計測用ヘッドギア１における外殻４の内側に位置する帯状体２に設置されている、電極３の金属板部分３ａが脳波計測用ヘッドギア１の外側から見える位置に形成されている。なお、当該電極３にはリード線８が接続されている。穴部３の形状は略四角形状だけでなく、他の形状でも良い。また頭頂部などの脳波を測定する場合において第二の弾性体７ｂを用いず、帯状体２の両端を直接ヘッドギア外殻部１０の外殻４に接続することもできる。
【００２９】
ここで電極３を取り付けた帯状体２は柔らかい素材でできている。したがって、帯状体２が使用者の頭部にフィットすることにより電極３の先端部分３ｂを頭皮に接触させることができ、さまざまな頭部の形状に対して電極３と頭皮の導通が確保されることにつながる。
【００３０】
前述したように、外殻４の側面には略四角形状の穴部５が複数設けられているため、側頭部及び後頭部に使用されている帯状体２の電極３の位置について外部より確認でき、当該電極３の位置の微調整などが、脳波計測用ヘッドギア１を装着したままできる。さらに当該穴部５の大きさを調節することにより、外殻４の外側への復元力の大きさを自由自在に調整することができる。この復元力については後ほど詳述する。また、穴部５の大きさを調節することにより外殻４がたわみやすくなるため脳波計測用ヘッドギア１を使用者が装着しやすくなる。
【００３１】
ここで、帯状体２は使用者の側頭部部分、後頭部部分及び頭頂部部分に設置されているが、帯状体２のみ、又は帯状体２及び第二の弾性体７ｂを用いて頭頂部の他に頭部の所望の位置で脳波を計測することができる。なお図１（ａ）及び図１（ｂ）に示されているように、頭頂部の脳波を計測する場合も帯状体２の電極３の位置について外部から確認することができる。
【００３２】
図２（ａ）に基づいて、使用者が脳波計測用ヘッドギア１を装着して側頭部、後頭部及び頭頂部の脳波を計測する場合について説明する。
【００３３】
脳波計測用ヘッドギア１のヘッドギア外殻部１０に設置されている２つの第一の弾性体７ａは、例えばアジャスターなどの調整手段９により長さを使用者の額の形状に合わせて調節して当該第一の弾性体７ａを額に固定することができる。なお頭頂部の脳波を測定するために用いている帯状体２と接続される第二の弾性体７ｂについても、図１（ａ）に示すように調整手段９により当該第二の弾性体７ｂの長さを使用者の頭部の形状に合わせてそれぞれ調節することができる。
【００３４】
このように調整手段９によって、第一の弾性体７ａ、及び第二の弾性体７ｂの長さを調整することにより当該第一の弾性体７ａ、及び第二の弾性体７ｂが伸縮し、当該第一の弾性体７ａと外殻４、留め具６ｃを介して接続されている帯状体２、及び第二の弾性体７ｂと接続されている帯状体２が使用者の頭部に固定される。したがって、当該帯状体２に設置されている電極３がより確実に使用者の頭部にフィットすることになり、さまざまな頭部の形状に対して脳波を測定することに役立つ。
【００３５】
図２（ｂ）に基づいて、使用者が脳波計測用ヘッドギア１を装着して前頭部の脳波を計測する場合について説明する。
【００３６】
外殻４の両端に複数の第三の弾性体７ｃの各一端を接続し、当該第三の弾性体７ｃには直接電極３が設置されている。したがって当該第三の弾性体７ｃにより前頭部の脳波を測定することができる。帯状体２、又は図１（a）で示されている帯状体２の両端に複数の第二の弾性体７ｂの各一端をそれぞれ接続したもの、あるいは帯状体２と帯状体２の両端に複数の第二の弾性体７ｂの各一端をそれぞれ接続したものの両方をさらにヘッドギア外殻部１０に接続することにより、第三の弾性体７ｃを用いて前頭部の脳波を測定すると同時に、側頭部など頭部の所望の位置の脳波を計測することができる。かかる場合も帯状体２が外殻４の内側に位置するのは前述した通りである。なお調整手段９によって、第三の弾性体７ｃの長さを調整することができるなどその他の部分については図２（ｂ）と同じである。
【００３７】
図３に基づいて、脳波計測用ヘッドギア１の装着時の外殻４の復元力について説明する。
【００３８】
脳波計測用ヘッドギア１を頭に装着した場合、図１（ａ）においては、電極３を取り付けた帯状体２が使用者の側頭部及び後頭部に接し、ヘッドギア外殻部１０の第一の弾性体７ａが図２で示されているように額の部分に来る。前述したように、ヘッドギア外殻部１０の第一の弾性体７ａの長さを調整手段９によって使用者の額の形状に合わせて伸縮させるように調節すると、ヘッドギア外殻部１０の第一の弾性体７ａは額の形状に沿って湾曲するため、図３中のＦ１、Ｆ２、Ｆ３の力が当該第一の弾性体７ａから使用者の頭部に向かって内側に働く。この時使用者の前頂部にかかるＦ１の力よりも使用者の側頭部にかかるＦ２、Ｆ３の力の大きさの方が大きく、外殻４がない状態では使用者は特に側頭部、すなわちＦ２及びＦ３の部分において痛みを感じることになる。よって外殻４がなく、帯状体２及び第一の弾性体７ａだけの場合は側頭部に該当する部分に電極３を設置して脳波を計測することが困難になる。
【００３９】
一方前述したように、脳波計測用ヘッドギア１は、未装着時に外殻４の両端部分の長さＬが使用者の頭部の幅より長くなるように作成されている。しかし、使用者がヘッドギア外殻部１０の第一の弾性体７ａを調整手段９により使用者の額の形状に合わせて伸縮させるように調節することにより、当該第一の弾性体７ａと留め具６ａで接続されている外殻４が内側、すなわち使用者の頭部の方向に引っ張られることになる。すると、外殻４が使用者の頭部の方向へたわむため、外殻４の復元力としてＦ４、Ｆ５の力が外側へ働く。
【００４０】
これにより使用者の側頭部にかかる力は、頭部の内側に向かう力であるＦ２、Ｆ３から頭部の外側に向かう力であるＦ４、Ｆ５をそれぞれ引いたものとなる。つまり、外殻４の外側に向かう力を利用することにより、第一の弾性体７ａから頭部の内側に向かう強い力が弱められる。したがって、例えば側頭部といった頭部の特定の部位に強い圧力がかかるといったことがない。よってヘッドギア外殻部１０に接続されている帯状体２により側頭部などに対して脳波を計測することができ、その際に痛みを感じることもない。
【００４１】
また、外殻４の穴部５の大きさを調整することにより外殻４の復元力を調整することができる。すなわち穴部５の大きさを大きくした場合は、外殻４が頭部の内側へたわみやすくなるため外殻４の外側への復元力が弱まる。一方、穴部５の大きさを小さくした場合は外殻４の外側への復元力が強まる。このように外殻４の穴部の大きさを調整することにより、外殻４全体としての復元力を変化させることができるため、第一の弾性体７ａより頭部の特定の部位にかかる強い圧力を適切に調節することができる。したがって脳波計測用ヘッドギア１の使用者が痛みを感じることなく、なおかつ電極３を適度な圧力で頭皮に接触させながら脳波を計測することができる。
【００４２】
一方、図１（a）及び図１（ｂ）で示されている、頭頂部で用いられている帯状体２についても、当該帯状体２の両端に２つの第二の弾性体７ｂの各一端が接続され、当該２つの第二の弾性体７ｂの各他端がそれぞれヘッドギア外殻部１０の外殻４の下部に留め具６ｃによって接続されている。したがって、頭部の外側へ向かう外殻４の復元力により当該２つの第二の弾性体７ｂによる頭部の内側に向かう力が弱められ、頭部の特定の部位に強い圧力がかからない。したがって脳波計測用ヘッドギア１において帯状体２を設置する位置を適宜選択することによって、頭部の所望の部位で使用者が痛みを感じることなく脳波を計測することが可能になる。
【００４３】
なお、図２（ｂ）で示されている帯状体２を用いずに前頭部で脳波を計測する場合も、第一の弾性体７ａと同様、２つの第三の弾性体７ｃによる頭部の内側に向かう力が頭部の外側へ向かう外殻４の復元力により弱められる。従って、前頭部においても使用者が痛みを感じることなく脳波を計測することが可能になる。
【００４４】
以上、本発明に係る実施形態について説明したが、本発明はかかる実施形態に限定されるものではなく、その要旨を逸脱しない範囲で種々なる態様で実施し得ることはもちろんである。例えば外殻４の幅などを調節することが可能である。また、帯状体２に設置する電極の数も自由に変更できる。
【符号の説明】
【００４５】
１    脳波計測用ヘッドギア
２    帯状体
３    電極
３ａ  金属板部分
３ｂ  先端部分
４    外殻
５    穴部
６ａ  留め具
６ｂ  留め具
６ｃ  留め具
７ａ    第一の弾性体
７ｂ    第二の弾性体
７ｃ    第三の弾性体
８    リード線
９    調整手段
１０  ヘッドギア外殻部
【図１】
2015221144.tif 000003
【図２】
2015221144.tif 000004
【図３】
2015221144.tif 000005